(57)【要約】      （修正有）【課題】受電装置の蓄電池の残量が少ない状態において光通信による装置認証を行い充電開始することを可能にした受電装置を提供する。【解決手段】受電装置１００は、送電装置３００が無線送電した電力を受電して蓄電池を充電する受電手段と、送電装置に対して充電制御情報を送受信する光通信手段と、送電装置が発した光を受光して光電変換によって光起電力を発生し、光起電力を電力源として送電装置に対して装置認証のための光通信を行う装置認証手段を備える。【選択図】図２
2019047693.tif 000002
【特許請求の範囲】
【請求項１】
送電装置が無線送電した電力を受電して蓄電池を充電する受電手段と、
送電装置に対して充電の制御に関する情報を送受信する光通信手段と、
送電装置が発した光を受光して光電変換によって光起電力を発生し、
光起電力を電力源として送電装置に対して装置認証のための光通信を行う装置認証手段
を備えることを特徴とする受電装置。
【請求項２】
光起電力によって前記光通信手段を実行することができるように蓄電池を充電し、
前記光通信手段によって送電装置に対して装置認証のための光通信を行う装置認証手段
を備えることを特徴とする請求項１に記載の受電装置。
【請求項３】
前記光通信手段は受光部と光電変換部を含み、該受光部および該光電変換部は前記装置認証手段における受光部および光電変換部を兼ねることを特徴とする請求項１または２に記載の受電装置。
【請求項４】
撮像手段を有し、
前記撮像手段は、前記蓄電池の電力を用いることを特徴とする請求項１乃至３のいずれか１項に記載の受電装置。
【請求項５】
充電している場合、前記光通信手段による前記充電の制御に関する情報の送受信を実行することを特徴とする請求項１乃至４のいずれか１項に記載の受電装置。
【請求項６】
受電手段と光通信手段とは同じ面に配されることを特徴とする請求項１乃至５のいずれか１項に記載の受電装置。
【請求項７】
受電手段と光通信手段とは前記受電装置の底面に配されることを特徴とする請求項１乃至５のいずれか１項に記載の受電装置。
【請求項８】
光通信手段による発光のパターンは、前記送電装置からの受光のパターンと異なることを特徴とする請求項１乃至７のいずれか１項に記載の受電装置。
【請求項９】
送電装置が無線送電した電力を受電して蓄電池を充電する受電ステップと、
送電装置に対して充電の制御に関する情報を送受信する光通信ステップと、
送電装置が発した光を受光して光電変換によって光起電力を発生するステップと、
光起電力を電力源として送電装置に対して装置認証のための光通信を行うステップを備えることを特徴とする受電装置の制御方法。
【請求項１０】
コンピュータを、請求項１乃至８のいずれか１項に記載の受電装置の各手段として機能させるための、コンピュータが読み取り可能なプログラム。
【発明の詳細な説明】
【技術分野】
【０００１】
本発明は光通信手段を備える無線充電装置に関する。
【背景技術】
【０００２】
従来、送電装置が受電装置に対して無線で電力を送電し、受電装置が備える蓄電池を充電する無線給電システムがある。無線給電方式には電磁誘導方式や磁気共鳴方式などの方式がある。無線給電システムには、充電開始前の待機時において、送電装置が所定の間隔で送電を行い、受電装置が設置されるまで待機する構成のものがあるが、この送電によって周辺に設置された電子機器に対して電磁ノイズ等の影響を与えないことが望ましい。そこで、送電装置と受電装置の間で光通信によって蓄電池の充電状況に関する情報の授受を行い、充電開始・停止などの充電制御を行う無線給電システムが知られている。光通信は電子機器に対して電磁ノイズ障害を引き起こすことが無く、送電によるノイズの影響を受け難く安定した通信が可能であるという利点がある。例えば、特許文献１では、光通信によって充電情報を授受する無線給電システムが開示されている。
【先行技術文献】
【特許文献】
【０００３】
【特許文献１】特開平１０−３２２９１９号公報
【発明の概要】
【発明が解決しようとする課題】
【０００４】
しかしながら、特許文献１に開示された従来技術では、受電装置の蓄電池の残量が少ない状態において光通信を動作させることができない場合がある。このとき、送電装置と受電装置の間で光通信による装置認証を行うことができず、充電開始できなくなってしまう。
【０００５】
そこで、本発明の目的は、受電装置の蓄電池の残量が少ない状態において光通信による装置認証を行い充電開始することを可能にした受電装置を提供することである。
【課題を解決するための手段】
【０００６】
上記目的を達成するために、本発明における受電装置は、送電装置が無線送電した電力を受電して蓄電池を充電する受電手段と、送電装置に対して充電制御情報を送受信する光通信手段と、送電装置が発した光を受光して光電変換によって光起電力を発生し、光起電力を電力源として送電装置に対して装置認証のための光通信を行う装置認証手段を備えることを特徴とする。
【発明の効果】
【０００７】
本発明によれば、受電装置の蓄電池の残量が少ない状態において光通信による装置認証を行い充電開始することを可能にした受電装置を提供することができる。
【図面の簡単な説明】
【０００８】
【図１】第１の実施形態における無線給電システムの外観図
【図２】第１の実施形態における無線給電システムの構成を示すブロック図
【図３】第１の実施形態における蓄電池の残量が多い状態の充電制御フローチャート
【図４】第１の実施形態における蓄電池の残量が少ない状態の充電制御フローチャート
【図５】第１の実施形態における装置認証用発光パターン
【図６】第２の実施形態における無線給電システムの構成を示すブロック図
【図７】第２の実施形態における蓄電池の残量が少ない状態の充電制御フローチャート
【発明を実施するための形態】
【０００９】
［第１の実施形態］
図１は本実施形態における無線給電システムの外観図である。無線給電システムは受電装置１００と送電装置３００で構成される。
【００１０】
受電装置１００はデジタルカメラである。表示部１０１は画像や各種情報を表示する。操作部１０２は、電源オン・オフを行うための電源スイッチ、撮影指示を行うためのレリーズスイッチ、撮影設定など各種操作を行うための選択キーなどの各種スイッチである。光通信発光部・受光部１０３は光通信の発光部および受光部である。無線給電アンテナ１０４は無線給電の受電用アンテナである。
【００１１】
送電装置３００はデジタルカメラ充電クレードルである。光通信発光部・受光部３０３は光通信の発光部および受光部である。無線給電アンテナ３０４は無線給電の送電用アンテナである。図面の通り、発光部、受光部、及び無線給電アンテナは、送電装置３００の底面に配される。
【００１２】
受電装置１００を送電装置３００の凹部に設置すると、受電装置１００の光通信発光部・受光部１０３と送電装置３００の光通信発光部・受光部３０３が対向する配置になり、光通信可能な状態となる。また、受電装置１００の無線給電アンテナ１０４と送電装置３００のアンテナ３０４が対向する配置になり、無線給電可能な状態となる。なお、本実施形態では、無線給電の規格として、例えばＱｉ規格を採用してもよい。そのほか、例えばＡｉｒＦｕｅｌ  Ａｌｌｉａｎｃｅによる規格や、ＮＦＣフォーラムによる無線給電規格を採用してもよい。
【００１３】
以下、図２〜図５を参照して、本発明の第１の実施形態を説明する。
【００１４】
図２は第１の実施形態における無線給電システムの構成を示すブロック図である。
【００１５】
受電装置１００の各部を説明する。
【００１６】
制御部（ＣＰＵ）２０１は、不揮発性メモリ２０３に格納されるプログラムに従い、メモリ２０２をワークメモリとして用いて、受電装置１００の各部を制御する。メモリ２０２は、例えばＲＡＭ（半導体素子を利用した揮発性メモリなど）からなる。不揮発性メモリ２０３は、電気的に消去・記録可能なメモリであり、例えばＦＬＡＳＨＲＯＭ、ＥＥＰＲＯＭなどで構成される。プログラムとは、本実施形態にて後述する各種フローチャートを実行するためのプログラムのことである。
【００１７】
画像処理部２０４は、制御部２０１の制御に基づいて、不揮発性メモリ２０３や記録媒体２０８に格納された画像データや、撮像部２０５から出力される画像データなどに対して各種画像処理を施す。画像処理部２０４が行う画像処理には、画像データの符号化処理、圧縮処理、デコード処理、拡大／縮小処理（リサイズ）、ノイズ低減処理、色変換処理などが含まれる。また、画像処理の種別によっては画像処理部２０４を用いずに制御部２０１がプログラムに従って画像処理を施すことも可能である。
【００１８】
撮像部２０５は、レンズ群、絞り機能を備えるシャッター、光学像を電気信号に変換する撮像素子、Ａ／Ｄ変換器などで構成される。撮像素子から出力されるアナログ信号はＡ／Ｄ変換器によってデジタル信号に変換され、デジタル信号に変換された画像データは画像処理部２０４を介してメモリ２０２に書き込まれる。
【００１９】
表示部２０６は、制御部２０１の制御に基づいて、画像やＧＵＩ（Ｇｒａｐｈｉｃａｌ  Ｕｓｅｒ  Ｉｎｔｅｒｆａｃｅ）を構成するＧＵＩ画面などを表示する。制御部２０１は、プログラムに従い表示制御信号を生成し、表示部２０６に表示するための映像信号を生成して表示部２０６に出力するように受電装置１００の各部を制御する。表示部２０６は出力された映像信号に基づいて映像を表示する。
【００２０】
操作部２０７は、ユーザー操作を受け付けるための入力デバイスである。制御部２０１は、ユーザー操作によって生成される操作部２０７の出力信号を受け付ける。
【００２１】
記憶媒体２０８は、記憶媒体Ｉ／Ｆに装着されたメモリカードなどの記録媒体であり、制御部２０１の制御に基づき、データの読み出しやデータの書き込みが行われる。
【００２２】
送電装置３００の４０１、４０２、４０３、４０７は、受電装置１００の３０１、３０２、３０３、３０７とそれぞれ同様の機能であるため説明を省略する。
【００２３】
受電装置１００と送電装置３００の無線給電機能に関連する各部を説明する。
【００２４】
電源制御部２０９は、電池検出回路、ＤＣ−ＤＣコンバータ、通電するブロックを切換えるスイッチ回路等で構成される。電源部２１０は、ＮｉＣｄ電池、ＮｉＭＨ電池、Ｌｉ電池等の蓄電池で構成される。電源制御部２０９は電源部２１０から供給される電力を受電装置１００の各部へ分配する。受電部２１１は、送電装置３００から無線送電された電力を受信する受電アンテナ、電源制御部２０９へ電力を供給する回路等で構成される。電源制御部２０９は受電部２１１から供給された電力を電源部２１０へ供給し、充電制御を行う。
【００２５】
電源制御部４０９は、電池検出回路、ＤＣ−ＤＣコンバータ、通電するブロックを切換えるスイッチ回路等で構成される。電源部４１０は、アルカリ電池やリチウム電池等の一次電池やＮｉＣｄ電池やＮｉＭＨ電池、Ｌｉ電池等の蓄電池、ＡＣアダプター等で構成される。電源制御部４０９は電源部４１０から供給される電力を送電装置３００の各部へ分配する。送電部４１１は、受電装置１００へ電力を無線送電する送電アンテナ、電源制御部４０９から電力を供給される回路等で構成される。電源制御部４０９は電源部４１０から供給された電力を送電部４１１へ供給し、充電制御を行う。無線給電方式には、例えば電磁誘導方式や磁気共鳴方式が用いられる。
【００２６】
受電装置１００と送電装置３００の光通信機能に関連する各部を説明する。
【００２７】
受電装置１００と送電装置３００は、光通信を介して充電開始前に実行される装置認証に関する情報、充電開始・停止指示、蓄電池残量情報、エラー情報などの充電制御に関する情報を送受信する。発光部２１２は制御部２０１から送信された電気信号を光電変換部にて光信号に変換して発光素子を発光させる。受光部２１３は受光素子が受光した光信号を光電変換部にて電気信号に変換して制御部２０１へ送信する。送電装置３００の発光部４１２、受光部４１３は、受電装置１００の２１２、２１３とそれぞれ同様の機能であるため説明を省略する。
【００２８】
また、受光部２１３は受光素子が受光した光信号を光電変換部にて電気信号に変換し、スイッチ部２１５を経由して装置認証用発光パターン生成部２１４に供給する。装置認証用発光パターン生成部２１４は受光部２１３における光電変換によって発生した光起電力が供給されると、これを電力源として装置認証用発光パターンを生成し発光部２１２へ送信する回路である。スイッチ部２１５は電源制御部２０９からの制御信号によってＯＮ・ＯＦＦの切換えが行われるトランジスタ等で構成された回路である。受電装置１００の蓄電池の残量が多く、残っている電力によって制御部２０１が動作可能である場合、電源制御部２０９はスイッチ部２１５をＯＦＦに切換える。スイッチ部２１５がＯＦＦの場合、受光部２１３から装置認証用発光パターン生成部２１４へ電気信号は供給されない。受電装置１００の蓄電池の残量が少なく、残っている電力によって制御部２０１が動作不可能である場合、電源制御部２０９はスイッチ部２１５をＯＮに切換える。スイッチ部２１５がＯＮの場合、受光部２１３から装置認証用発光パターン生成部２１４へ電気信号が供給される。装置認証用発光パターン生成部２１４、スイッチ部２１５の動作は図３、図４の充電制御フローチャートにおいて詳細を説明する。
【００２９】
図３は第１の実施形態における蓄電池の残量が多い状態の充電制御を示すフローチャートである。受電装置１００の蓄電池の残量が多く、残っている電力によって制御部２０１を動作可能である場合の充電制御について図３を用いて説明する。受電装置１００のフローチャートにおける各処理は、受電装置１００において、制御部２０１が不揮発性メモリ２０３に格納されたプログラムをメモリ２０２に展開して実行することにより実現される。送電装置３００のフローチャートにおける各処理は、送電装置３００において、制御部４０１が不揮発性メモリ４０３に格納されたプログラムをメモリ４０２に展開して実行することにより実現される。送電装置３００は充電開始前の待機状態であり、発光部４１２を介して所定の間隔で装置認証要求を送信している。受電装置１００が送電装置３００の凹部に設置され、受電装置１００と送電装置３００が光通信可能かつ無線給電可能な配置になった状態において、図３のフローチャートは開始される。
【００３０】
Ｓ３０１〜Ｓ３０５において光通信を介して受電装置１００と送電装置３００の間で装置認証が行われ、装置認証が完了した後にＳ３１０〜Ｓ３１３において無線給電が行われる。
【００３１】
Ｓ３０１では、送電装置３００の制御部４０１は発光部４１２を介して受電装置１００へ装置認証要求を送信する。装置認証要求には、送電装置３００の認証用ＩＤおよび受電装置１００の認証用ＩＤの応答要求が含まれる。
【００３２】
Ｓ３０２では、受電装置１００の制御部２０１は受光部２１３を介して装置認証要求を受信する。受電装置１００の蓄電池の残量が多く、残っている電力によって制御部２０１が動作可能である場合、電源制御部２０９はスイッチ部２１５をＯＦＦに切換えているため、受光部２１３から装置認証用発光パターン生成部２１４へ電気信号は供給されない。
【００３３】
Ｓ３０４では、受電装置１００の制御部２０１は発光部２１２を介して装置認証応答を送信する。装置認証応答には、受電装置１００の認証用ＩＤが含まれる。
【００３４】
Ｓ３０５では、送電装置３００の制御部４０１は受光部４１３を介して装置認証応答を受信する。送電装置３００の不揮発性メモリ２０３には予め受電装置１００の認証用ＩＤが記憶されており、受信した装置認証応答に含まれる受電装置１００の認証用ＩＤと照合することで装置認証が完了する。
【００３５】
Ｓ３１０〜Ｓ３１１では、送電装置３００が送電した電力を受電装置１００が受電して無線給電が行われる。
【００３６】
Ｓ３１２〜Ｓ３１３では、送電装置３００と受電装置１００の間で光通信を介して充電開始・停止指示、蓄電池残量情報、エラー情報などの充電制御に関する情報が送受信される。蓄電池が満充電になった場合や何らかのエラーが発生して充電継続不可能な場合は無線給電を終了する。無線給電を継続する場合はＳ３１０へ戻り、充電停止指示が出るまでＳ３１０〜Ｓ３１３を繰り返す。
【００３７】
図４は第１の実施形態における蓄電池の残量が少ない状態の充電制御を示すフローチャートである。受電装置１００の蓄電池の残量が少なく、残っている電力によって制御部２０１が動作不可能である場合の充電制御について図４を用いて説明する。受電装置１００のフローチャートにおけるＳ４０２〜Ｓ４０７の各処理は、受電装置１００の各部のハードウェア動作により実現される。受電装置１００のフローチャートにおけるＳ４０８〜Ｓ４１３の各処理は、受電装置１００において、制御部２０１が不揮発性メモリ２０３に格納されたプログラムをメモリ２０２に展開して実行することにより実現される。送電装置３００のフローチャートにおける各処理は、送電装置３００において、制御部４０１が不揮発性メモリ４０３に格納されたプログラムをメモリ４０２に展開して実行することにより実現される。送電装置３００は充電開始前の待機状態であり、発光部４１２を介して所定の間隔で装置認証要求を送信している。受電装置１００が送電装置３００の凹部に設置され、受電装置１００と送電装置３００が光通信可能かつ無線給電可能な配置になった状態において、図４のフローチャートは開始される。
【００３８】
Ｓ４０１〜Ｓ４０５において光通信を介して受電装置１００と送電装置３００の間で装置認証が行われ、装置認証が完了した後にＳ４０６〜Ｓ４１３において無線給電が行われる。
【００３９】
Ｓ４０１では、送電装置３００の制御部４０１は発光部４１２を介して受電装置１００へ装置認証要求を送信する。装置認証要求には、送電装置３００の認証用ＩＤおよび受電装置１００の認証用ＩＤの応答要求が含まれる。
【００４０】
Ｓ４０２では、受電装置１００の受光部２１３は装置認証要求を受信する。受電装置１００の蓄電池の残量が少なく、残っている電力によって制御部２０１が動作不可能であるため、制御部２０１が装置認証要求を受信することはできない。
【００４１】
Ｓ４０３では、受光部２１３は受光素子が受光した光信号を光電変換部にて電気信号に変換し、スイッチ部２１５を経由して装置認証用発光パターン生成部２１４に供給する。受電装置１００の蓄電池の残量が少なく、残っている電力によって制御部２０１が動作不可能である場合、電源制御部２０９はスイッチ部２１５をＯＮに切換えている。
【００４２】
Ｓ４０４では、装置認証用発光パターン生成部２１４は受光部２１３における光電変換によって発生した光起電力が供給されると、これを電力源として装置認証用発光パターンを生成し発光部２１２へ送信する。発光部２１２は電気信号である装置認証用発光パターンを光電変換部にて光信号に変換し、装置認証応答として送電装置３００へ送信する。装置認証用発光パターンは受光部２１３から供給される電気信号をそのまま発光部２１２へ供給する構成としてもよい。ただし、この構成では送電装置３００が送信した装置認証要求の発光パターンが鏡等の反射物によって反射した場合であっても、受電装置１００からの装置認証応答であると誤認証してしまう可能性がある。そこで、受光部２１３から供給される電気信号をベースとして異なる発光パターンを生成して発光部２１２へ供給する構成としてもよい。装置認証用発光パターンの一例を図５に示す。図５に示すように受光部２１３から供給される電気信号（入力信号）と発光部２１２へ供給する電気信号（出力信号）を異なる発光パターンに変換することで、鏡等の反射物による反射に対して誤認証を防ぐことができる。
【００４３】
Ｓ４０５では、送電装置３００の制御部４０１は受光部４１３を介して装置認証応答を受信する。送電装置３００の不揮発性メモリ２０３には予め受電装置１００の装置認証用発光パターンが記憶されており、受信した装置認証応答に含まれる装置認証用発光パターンと照合することで装置認証が完了する。
【００４４】
Ｓ４０６〜Ｓ４０７では、送電装置３００が送電した電力を受電装置１００が受電して無線給電が行われる。
【００４５】
Ｓ４０８〜Ｓ４０９では、送電装置３００は受電装置１００に対して光通信を介して充電制御に関する情報の送受信を試行する。
【００４６】
Ｓ４０６〜Ｓ４０７における無線給電によって受電装置１００の蓄電池の残量が回復し、制御部２０１が動作可能な状態になった場合、光通信を介した充電制御に関する情報の送受信は成功し、Ｓ４１０へ進む。未だ受電装置１００の蓄電池の残量が少なく、制御部２０１が動作不可能である場合、受電装置１００はＳ４０４と同様な装置認証応答しか返せず、Ｓ４０６へ戻り、Ｓ４０６〜Ｓ４０９を繰り返す。
【００４７】
Ｓ４１０〜Ｓ４１３は図３におけるＳ３１０〜Ｓ３１３とそれぞれ同様の処理であるため説明を省略する。
【００４８】
以上のように、第１の実施形態によれば、受電装置の蓄電池の残量が少なく、残っている電力によって制御部が動作不可能である場合、受光部における光電変換によって発生した光起電力を電力源として装置認証用発光パターンを生成し送電装置へ送信する。このようにすることで、受電装置の蓄電池の残量が少ない状態において光通信による装置認証を行い充電開始することが可能である。
【００４９】
［第２の実施形態］
以下、図６〜図７を参照して、本発明の実施例２を説明する。
【００５０】
図６は本実施例２における無線給電システムの構成を示すブロック図である。
【００５１】
実施例２と第１の実施形態における無線給電システムの構成の差異は、図２の装置認証用発光パターン生成部２１４、スイッチ部２１５と図６のスイッチ部２１６である。その他の構成は同様であるため説明を省略する。
【００５２】
受光部２１３は受光素子が受光した光信号を光電変換部にて電気信号に変換し、発生した光起電力はスイッチ部２１６を経由して電源制御部２０９に供給される。そして、電源制御部２０９は受光部２１３から供給された光起電力を用いて電源部２１０の蓄電池を充電できるように構成されている。スイッチ部２１５は電源制御部２０９からの制御信号によってＯＮ・ＯＦＦの切換えが行われるトランジスタ等で構成された回路である。受電装置１００の蓄電池の残量が多く、残っている電力によって制御部２０１が動作可能である場合、電源制御部２０９はスイッチ部２１６をＯＦＦに切換える。スイッチ部２１６がＯＦＦの場合、受光部２１３から電源制御部２０９へ光起電力は供給されない。受電装置１００の蓄電池の残量が少なく、残っている電力によって制御部２０１が動作不可能である場合、電源制御部２０９はスイッチ部２１６をＯＦＦに切換える。スイッチ部２１６がＯＮの場合、受光部２１３から電源制御部２０９へ光起電力が供給される。
【００５３】
図７は本実施例２における蓄電池の残量が少ない状態の充電制御を示すフローチャートである。受電装置１００の蓄電池の残量が少なく、制御部２０１を動作させる電力が残っていない場合の充電制御について図７を用いて説明する。受電装置１００の蓄電池の残量が多く、残っている電力によって制御部２０１を動作可能である場合の充電制御については図３と同様の処理であるため説明を省略する。受電装置１００のフローチャートにおけるＳ７０２〜Ｓ７０４の各処理は、受電装置１００の各部のハードウェア動作により実現される。受電装置１００のフローチャートにおけるＳ７０５〜Ｓ７１３の各処理は、受電装置１００において、制御部２０１が不揮発性メモリ２０３に格納されたプログラムをメモリ２０２に展開して実行することにより実現される。送電装置３００のフローチャートにおける各処理は、送電装置３００において、制御部４０１が不揮発性メモリ４０３に格納されたプログラムをメモリ４０２に展開して実行することにより実現される。送電装置３００は充電開始前の待機状態であり、発光部４１２を介して所定の間隔で装置認証要求を送信している。受電装置１００が送電装置３００の凹部に設置され、受電装置１００と送電装置３００が光通信可能かつ無線給電可能な配置になった状態において、図７のフローチャートは開始される。
【００５４】
Ｓ７０１〜Ｓ７０６において光通信を介して受電装置１００と送電装置３００の間で装置認証が行われ、装置認証が完了した後にＳ７１０〜Ｓ７１３において無線給電が行われる。
【００５５】
Ｓ７０１では、送電装置３００の制御部４０１は発光部４１２を介して受電装置１００へ装置認証要求を送信する。装置認証要求には、送電装置３００の認証用ＩＤおよび受電装置１００の認証用ＩＤの応答要求が含まれる。
【００５６】
Ｓ７０２では、受電装置１００の受光部２１３は装置認証要求を受信する。受電装置１００の蓄電池の残量が少なく、残っている電力によって制御部２０１が動作不可能であるため、制御部２０１が装置認証要求を受信することはできない。
【００５７】
Ｓ７０３では、受光部２１３は受光素子が受光した光信号を光電変換部にて電気信号に変換し、スイッチ部２１６を経由して電源制御部２０９に供給する。そして、電源制御部２０９は受光部２１３から供給された光起電力を用いて電源部２１０の蓄電池を充電する。受電装置１００の蓄電池の残量が少なく、残っている電力によって制御部２０１が動作不可能である場合、電源制御部２０９はスイッチ部２１６をＯＮに切換える。
【００５８】
Ｓ７０４では、Ｓ７０３における充電によって受電装置１００の蓄電池の残量が回復し、制御部２０１が動作可能な状態になった場合、Ｓ７０５へ進む。未だ受電装置１００の蓄電池の残量が少なく、制御部２０１が動作不可能である場合、Ｓ７０１〜Ｓ７０３を繰り返す。
【００５９】
Ｓ７０５では、受電装置１００の制御部２０１は発光部２１２を介して装置認証応答を送信する。装置認証応答には、受電装置１００の認証用ＩＤが含まれる。
【００６０】
Ｓ７０６では、送電装置３００の制御部４０１は受光部４１３を介して装置認証応答を受信する。送電装置３００の不揮発性メモリ２０３には予め受電装置１００の認証用ＩＤが記憶されており、受信した装置認証応答に含まれる受電装置１００の認証用ＩＤと照合することで装置認証が完了する。
【００６１】
Ｓ７１０〜Ｓ７１３は図３におけるＳ３１０〜Ｓ３１３とそれぞれ同様の処理であるため説明を省略する。
【００６２】
以上のように、本実施例２によれば、受電装置の蓄電池の残量が少なく、残っている電力によって制御部が動作不可能である場合、受光部における光電変換によって発生した光起電力を用いて制御部が動作可能な状態となるまで蓄電池を充電する構成とした。このようにすることで、受電装置の蓄電池の残量が少ない状態において光通信による装置認証を行い充電開始することが可能である。
【００６３】
なお、本実施形態では、デジタルカメラとデジタルカメラ充電クレードルを例にして説明したが、本発明はこの例に限定されない。すなわち、光通信手段を備える各種無線給電装置において適用可能である。
【００６４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６５】
なお、本発明をその好適な実施形態に基づいて詳述してきたが、本発明はこれら特定の実施形態に限られるものではなく、この発明の要旨を逸脱しない範囲の様々な形態も本発明に含まれる。さらに、上述した実施形態は本発明の一実施形態を示すものにすぎず、各実施形態を適宜組み合わせることも可能である。
【図１】
2019047693.tif 000003
【図２】
2019047693.tif 000004
【図３】
2019047693.tif 000005
【図４】
2019047693.tif 000006
【図５】
2019047693.tif 000007
【図６】
2019047693.tif 000008
【図７】
2019047693.tif 000009